(57)【要約】【課題】  本発明の課題は、校正作業により、直接にＤＴＰデータが変更されたときに、入稿された文字データを変更する双方向型製版編集システムを提供することである。【解決手段】  顧客クライアント装置と編集クライアント装置とデータ転送中継サーバ装置がネットワークを通じて接続されて構成される双方向型製版編集システムであって、このデータ中継サーバ装置への利用許可と登録リクエストに対応する相手を特定する利用者認証手段と、原稿データ登録リクエストにて受付けた原稿データを製版データの形式に変換し、校了データ登録リクエストにて受付けた校了製版データを原稿データの形式に変換する双方向データ変換手段と、前記利用者認証手段が特定した相手に、原稿データまたは校了製版データが登録されたことをネットワークを通じて知らせる通知手段を備えたデータ転送中継サーバ装置であることを特徴とする双方向型製版編集システムである。【選択図】図１
2006350589.tif 000002
【特許請求の範囲】
【請求項１】
顧客担当者が使用する顧客クライアント装置と、製版作業者が利用する編集クライアント装置と、データ転送中継サーバ装置がネットワークを通じて接続されて構成される双方向型製版編集システムであって、
前記編集クライアント装置は、製版作業者の対話操作によって印刷製版データを作成する編集レイアウト手段を備えたものであって、
前記データ転送中継サーバ装置は、
利用者である製版作業者、顧客担当者の登録情報を保持し利用者の認証を行なうために参照される利用者認証データベースと、
前記編集クライアント装置からネットワークを通じて、校了製版データを含む校了データ登録リクエストを受付け、また、製版データリクエストを受付けて要求された製版データを提供する編集クライアント接続手段と、
前記顧客クライアント装置からネットワークを通じて、原稿データを含む原稿データ登録リクエストを受付け、また、校了データリクエストを受付けて要求された校了原稿データを提供する顧客クライアント接続手段と、
このデータ中継サーバ装置への利用者からの各種リクエストについて前記利用者認証データベースを参照してリクエストを発信した利用者を認証するとともに登録リクエストの場合には、対応する相手となる利用者を特定する利用者認証手段と、
登録リクエストについて発信者を認証できた場合には、原稿データ登録リクエストの場合には受付けた原稿データを所定の製版データの形式に変換し、校了データ登録リクエストの場合には受付けた校了製版データを所定の原稿データの形式に変換する双方向データ変換手段と、
前記変換された製版データを一時保管する製版データ保管手段と、
前記変換された原稿データを一時保管する原稿データ保管手段と、
登録リクエストの場合に前記利用者認証手段が特定したリクエスト発信者の対応する相手となる利用者に原稿データまたは校了製版データが用意できたことをネットワークを通じて知らせる通知手段と、
を備えて、顧客担当者と製版作業者間の原稿データ、校了製版データの転送の中継を行い、校了製版データは原稿データの形式に変えて顧客側に提供することができることを特徴とするデータ転送中継サーバ装置である
ことを特徴とする双方向型製版編集システム。
【請求項２】
前記原稿データ、および、前記製版データは、ＸＭＬ記述されていることを特徴とする請求項１に記載の双方向型製版編集システム。
【請求項３】
顧客担当者が使用する顧客クライアント装置と、製版作業者が利用する編集クライアント装置と、ネットワークを通じて接続されるデータ転送中継サーバ装置であって、
前記編集クライアント装置は、製版作業者の対話操作によって印刷製版データを作成する編集レイアウト手段を備えたものであって、
前記データ転送中継サーバ装置は、
利用者である製版作業者、顧客担当者の登録情報を保持し利用者の認証を行なうために参照される利用者認証データベースと、
前記編集クライアント装置からネットワークを通じて、校了製版データを含む校了データ登録リクエストを受付け、また、製版データリクエストを受付けて要求された製版データを提供する編集クライアント接続手段と、
前記顧客クライアント装置からネットワークを通じて、原稿データを含む原稿データ登録リクエストを受付け、また、校了データリクエストを受付けて要求された校了原稿データを提供する顧客クライアント接続手段と、
このデータ中継サーバ装置への利用者からの各種リクエストについて前記利用者認証データベースを参照してリクエストを発信した利用者を認証するとともに登録リクエストの場合には、対応する相手となる利用者を特定する利用者認証手段と、
登録リクエストについて発信者を認証できた場合には、原稿データ登録リクエストの場合には受付けた原稿データを所定の製版データの形式に変換し、校了データ登録リクエストの場合には受付けた校了製版データを所定の原稿データの形式に変換する双方向データ変換手段と、
前記変換された製版データを一時保管する製版データ保管手段と、
前記変換された原稿データを一時保管する原稿データ保管手段と、
登録リクエストの場合に前記利用者認証手段が特定したリクエスト発信者の対応する相手となる利用者に原稿データまたは校了製版データが用意できたことをネットワークを通じて知らせる通知手段と、
を備えて、顧客担当者と製版作業者間の原稿データ、校了製版データの転送の中継を行い、校了製版データは原稿データの形式に変えて顧客側に提供することができることを特徴とするデータ転送中継サーバ装置。
【請求項４】
前記原稿データ、および、前記製版データは、ＸＭＬ記述されていることを特徴とする請求項３に記載のデータ転送中継サーバ装置。
【請求項５】
コンピュータに組込むことによって、コンピュータを請求項１、または、請求項２に記載のデータ転送中継サーバ装置として動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、データベースを前提にした印刷物の製作に適した双方向型製版編集システム及び方法に関するものである。
【背景技術】
【０００２】
従来から、カタログ・チラシなどの印刷物の製作においては、商品スペック情報等を格納したデータベースを用意して、このデータベースから、必要な情報を検索して原稿データを作成するワークフローが採用されてきた。しかしながら、校正作業では、直接、製版編集用データ（ＤＴＰデータ）を修正することがあるために、修正データをタイミングよく、容易にデータベースにフィードバックすることが大きな課題であった。
【０００３】
たとえば、特許文献１には、ＤＴＰデータを構成する要素データと編集前の原稿データを構成する要素データの対応関係を定めておき、ＤＴＰデータを構成する要素データを修正するとこの要素データに変更情報を加えて、この変更情報を持った要素データを、編集前の原稿データの該当する要素データと置き換える技術が開示されている。（従来技術１）
【特許文献１】特開２００３−１７８０５０号公報（３〜４頁、図１）特許文献２には、ＤＴＰデータを構成する要素データと編集前の原稿データを構成する要素データに対応関係を定めたコード番号を付加させて、このコード番号を手がかりして、修正したＤＴＰデータの要素データを入稿された文字データの要素データに変換する技術が開示されている。（従来技術２）
【特許文献２】特開２００４−２９５５１４号公報（２〜４頁、図１）
【発明の開示】
【発明が解決しようとする課題】
【０００４】
しかし、従来技術１では、ＤＴＰデータの修正した項目データに、変更情報という特殊な情報を追加しなければならず、また、従来技術２では、ＤＴＰデータの項目データと入稿された文字データの項目データにコード番号を新たに追加しなければならず、情報を追加する作業が増えるという欠点があった。あるいは、従来技術１や従来技術２では、ＤＴＰデータの修正内容を、入稿された文字データに反映させるに当たって、修正したことを入稿された文字データの管理者に伝達しないので、この管理者は、校正の修正進捗を的確に把握できないという問題点があった。
【０００５】
本発明はこのような従来技術を考慮してなされたものであって、本発明の課題は、校正作業により、直接にＤＴＰデータが変更されたときに、入稿された文字データを変更する双方向型製版編集システムを提供することである。
【課題を解決するための手段】
【０００６】
本発明は、以下のような解決手段により、前記課題を解決する。すなわち、請求項１の発明は、顧客担当者が使用する顧客クライアント装置と、製版作業者が利用する編集クライアント装置と、データ転送中継サーバ装置がネットワークを通じて接続されて構成される双方向型製版編集システムであって、前記編集クライアント装置は、製版作業者の対話操作によって印刷製版データを作成する編集レイアウト手段を備えたものであって、前記データ転送中継サーバ装置は、利用者である製版作業者、顧客担当者の登録情報を保持し利用者の認証を行なうために参照される利用者認証データベースと、前記編集クライアント装置からネットワークを通じて、校了製版データを含む校了データ登録リクエストを受付け、また、製版データリクエストを受付けて要求された製版データを提供する編集クライアント接続手段と、前記顧客クライアント装置からネットワークを通じて、原稿データを含む原稿データ登録リクエストを受付け、また、校了データリクエストを受付けて要求された校了原稿データを提供する顧客クライアント接続手段と、このデータ中継サーバ装置への利用者からの各種リクエストについて前記利用者認証データベースを参照してリクエストを発信した利用者を認証するとともに登録リクエストの場合には、対応する相手となる利用者を特定する利用者認証手段と、登録リクエストについて発信者を認証できた場合には、原稿データ登録リクエストの場合には受付けた原稿データを所定の製版データの形式に変換し、校了データ登録リクエストの場合には受付けた校了製版データを所定の原稿データの形式に変換する双方向データ変換手段と、前記変換された製版データを一時保管する製版データ保管手段と、前記変換された原稿データを一時保管する原稿データ保管手段と、登録リクエストの場合に前記利用者認証手段が特定したリクエスト発信者の対応する相手となる利用者に原稿データまたは校了製版データが用意できたことをネットワークを通じて知らせる通知手段と、を備えて、顧客担当者と製版作業者間の原稿データ、校了製版データの転送の中継を行い、校了製版データは原稿データの形式に変えて顧客側に提供することができることを特徴とするデータ転送中継サーバ装置であることを特徴とする双方向型製版編集システムである。
【０００７】
請求項２の発明は、前記原稿データ、および、前記製版データは、ＸＭＬ記述されていることを特徴とする請求項１に記載の双方向型製版編集システムである。
【０００８】
請求項３の発明は、顧客担当者が使用する顧客クライアント装置と、製版作業者が利用する編集クライアント装置と、ネットワークを通じて接続されるデータ転送中継サーバ装置であって、前記編集クライアント装置は、製版作業者の対話操作によって印刷製版データを作成する編集レイアウト手段を備えたものであって、前記データ転送中継サーバ装置は、利用者である製版作業者、顧客担当者の登録情報を保持し利用者の認証を行なうために参照される利用者認証データベースと、前記編集クライアント装置からネットワークを通じて、校了製版データを含む校了データ登録リクエストを受付け、また、製版データリクエストを受付けて要求された製版データを提供する編集クライアント接続手段と、前記顧客クライアント装置からネットワークを通じて、原稿データを含む原稿データ登録リクエストを受付け、また、校了データリクエストを受付けて要求された校了原稿データを提供する顧客クライアント接続手段と、このデータ中継サーバ装置への利用者からの各種リクエストについて前記利用者認証データベースを参照してリクエストを発信した利用者を認証するとともに登録リクエストの場合には、対応する相手となる利用者を特定する利用者認証手段と、登録リクエストについて発信者を認証できた場合には、原稿データ登録リクエストの場合には受付けた原稿データを所定の製版データの形式に変換し、校了データ登録リクエストの場合には受付けた校了製版データを所定の原稿データの形式に変換する双方向データ変換手段と、前記変換された製版データを一時保管する製版データ保管手段と、前記変換された原稿データを一時保管する原稿データ保管手段と、登録リクエストの場合に前記利用者認証手段が特定したリクエスト発信者の対応する相手となる利用者に原稿データまたは校了製版データが用意できたことをネットワークを通じて知らせる通知手段と、を備えて、顧客担当者と製版作業者間の原稿データ、校了製版データの転送の中継を行い、校了製版データは原稿データの形式に変えて顧客側に提供することができることを特徴とするデータ転送中継サーバ装置である。
【０００９】
請求項４の発明は、前記原稿データ、および、前記製版データは、ＸＭＬ記述されていることを特徴とする請求項３に記載のデータ転送中継サーバ装置である。
【００１０】
請求項５の発明は、コンピュータに組込むことによって、コンピュータを請求項１、または、請求項２に記載の双方向型製版編集システムとして動作させるコンピュータプログラムである。
【００１１】
請求項６の発明は、請求項５に記載のコンピュータプログラムを記録したコンピュータ読取り可能な記録媒体である。
【００１２】
ここで、原稿データとは、入稿された文字データを含む顧客が管理するデータであって、製版データとは、原稿データを、編集クライアント装置の入力データ形式に変換したデータである。
【００１３】
したがって、顧客が原稿データを校正する時には、双方向型製版編集システムにて、校正された原稿データから修正された編集用データが生成されて編集クライアント装置に送信されて、編集クライアント装置にて、修正された編集用データから修正されたＤＴＰデータが作成される。他方、校正紙による校正指示に従って編集者がＤＴＰデータを修正する時には、編集クライアント装置にて、修正されたＤＴＰデータから修正された編集用データが作成されて双方向型製版編集システムに送信されて、双方向型製版編集システムにて、修正された編集用データから修正された原稿データが生成される。このようにして、原稿データとＤＴＰデータの内容を、常に一致させることが出来る。
【発明の効果】
【００１４】
本願発明によれば、顧客の原稿データは、編集用データに変換されて、編集者に通知が届けられるので、ＤＴＰデータの作成作業効率が向上する。他方、校正紙による校正指示に従って編集者がＤＴＰデータを修正すれば、修正内容が原稿データに反映されるので、顧客による原稿データの保守作業の負荷が軽減される。また、顧客が管理する原稿データと編集者が作成管理するＤＴＰデータとは、編集用データを仲介して相互に独立してアクセス管理されているので、データ保護の安全性が高まる。
【発明を実施するための最良の形態】
【００１５】
以下、図面等を参照しながら、本発明の実施の形態について、更に詳しく説明する。ここで、編集用データ保管手段は、請求項に記載の製版データ保管手段に相当する。図１は、双方向型製版編集システムの全体構成を説明する図である。双方向型製版編集システム１は、データ転送中継サーバ装置１００と顧客クライアント装置３００と編集クライアント装置５００とから構成されている。データ転送中継サーバ装置１００は、顧客クライアント装置３００と編集クライアント装置５００とに、ネットワーク接続されている。顧客クライアント装置３００は、顧客が管理するデータベースに接続されている。
【００１６】
顧客クライアント装置３００は、顧客が管理するデータベースから情報を取り出して、原稿データを作成する。また、顧客クライアント装置３００は、データ転送中継サーバ装置１００から原稿データベース登録通知を受信して、原稿データベースから該当する原稿データを取得して、顧客が管理するデータベースを更新する。
【００１７】
データ転送中継サーバ装置１００は、顧客クライアント装置３００から受信した原稿データを編集用データに変換して、編集用データベースに登録して、編集用データベース登録通知を編集クライアント装置５００に送信する。また、データ転送中継サーバ装置１００は、編集クライアント装置５００から受信した編集用データを原稿データに変換して、原稿データベースに登録して、原稿データベース登録通知を顧客クライアント装置３００に送信する。
【００１８】
編集クライアント装置５００は、データ転送中継サーバ装置１００から、編集用データベース登録通知を受け取って、原稿データベースから該当する編集用データを取得して、製版編集して、ＤＴＰデータを作成する。また、編集クライアント装置５００は、ＤＴＰデータから編集用データを生成して、データ転送中継サーバ装置１００に送信する。
【００１９】
図２は、本発明による双方向型製版編集システムの大まかな処理の流れを説明する図である。データ転送中継サーバ装置１００は、顧客クライアント装置３００と編集クライアント装置５００とに、ネットワークで接続されている。入稿作業では、顧客は、顧客クライアント装置３００にて、商品データベースから原稿データを作成して（図２（ア））、データ転送中継サーバ装置１００から顧客認証を受けて、原稿データを送信する（図２（イ））。データ転送中継サーバ装置１００は、顧客を認証して、この原稿データを受信する。（同（ウ））。受信した原稿データを編集クライアント装置５００の入力データである編集用データに変換して、編集用データベースに登録して、編集用データベース登録通知を編集クライアント装置５００に送信する（同（エ）)。編集クライアント装置５００は、編集用データベース登録通知を受信する（同（オ））。この後は、編集者が、データ転送中継サーバ装置１００に登録された編集用データを受け取って、編集クライアント装置５００にて、製版編集して、ＤＴＰデータを作成する。（図２（カ））
【００２０】
なお、（図２（イ））において、データ転送中継サーバ装置１００は、受信した原稿データを、原稿データベースに登録してもよい。
【００２１】
ところで、下版時の校正作業のように、修正作業時間の短縮が求められる場合には、編集者は、校正紙による校正指示に従って、編集クライアント装置５００にて、製版編集してＤＴＰデータを修正して校了する（同（サ））。校了したＤＴＰデータから、修正した編集用データを作成して、データ転送中継サーバ装置１００から編集者認証を受けて、修正した編集用データを送信する（同（シ））。データ転送中継サーバ装置１００は、編集者を認証して、修正した編集用データを受信する（同（ス））。データ転送中継サーバ装置１００は、修正した編集用データを顧客クライアント装置３００の入力データである原稿データに変換して、原稿データベースに登録して、原稿データベース登録通知を、顧客クライアント装置３００に送信する（同（セ））。顧客クライアント装置３００は、原稿データベース登録通知を受信する（同（ソ））。この後は、顧客は、データ転送中継サーバ装置１００に登録された原稿データを取得して、顧客クライアント装置３００にて、商品データベースを更新する。（同（タ））
【００２２】
なお、（図２（ス））において、受信した編集用データを、編集用データベースに登録してもよい。
【００２３】
図３は、双方向型製版編集システムの詳細な構成図である。前記データ転送中継サーバ装置１００は、編集クライアント接続手段１１１と、顧客クライアント接続手段１１２と、利用者認証手段１１３と、双方向データ変換手段１１４と、通知手段１１５と、編集用データ保管手段１１６と、原稿データ保管手段１１７と、記憶手段１３０と、を備える。記憶手段１３０は、原稿データベース１０３と、編集用データベース１０１と、利用者認証データベース１０５と、を記憶する。
【００２４】
原稿データベース１０３は、原稿識別情報を含んだ原稿データ（詳細は、後述する。）を記録する。編集用データベース１０１は、原稿識別情報を含んだ編集用データ（詳細は、後述する。）を記録する。利用者認証データベース１０５は、利用者である製版作業者や顧客担当者の登録情報を保持し利用者の認証を行なうために参照される。（詳細は、後述する。）
【００２５】
顧客クライアント装置３００は、原稿作成手段３１１を備える。
【００２６】
前記編集クライアント装置５００は、編集レイアウト手段５１１と、編集用データ作成手段５１２とを備える。
【００２７】
編集クライアント接続手段１１１は、前記編集クライアント装置からネットワークを通じて、校了編集用データを含む校了データ登録リクエストを受付け、また、編集用データリクエストを受付けて要求された編集用データを提供する。顧客クライアント接続手段１１２は、前記顧客クライアント装置からネットワークを通じて、原稿データを含む原稿データ登録リクエストを受付け、また、原稿データリクエストを受付けて要求された原稿データを提供する。利用者認証手段１１３は、このデータ中継サーバ装置への利用者からの各種リクエストについて前記利用者認証データベースを参照してリクエストを発信した利用者を認証するとともに登録リクエストの場合には、対応する相手となる利用者を特定する。双方向データ変換手段１１４は、登録リクエストについて発信者を認証できた場合には、原稿データ登録リクエストの場合には受付けた原稿データを所定の編集用データの形式に変換し、校了データ登録リクエストの場合には受付けた校了編集用データを所定の原稿データの形式に変換する。編集用データ保管手段１１６は、前記変換された編集用データを一時保管する。原稿データ保管手段１１７は、前記変換された原稿データを一時保管する。通知手段１１５は、登録リクエストの場合に前記利用者認証手段が特定したリクエスト発信者の対応する相手となる利用者に原稿データまたは校了編集用データが用意できたことをネットワークを通じて知らせる。
【００２８】
原稿作成手段３１１は、顧客が管理するデータベースから、原稿データを作成する。
【００２９】
編集レイアウト手段５１１は、製版作業者の対話操作によってＤＴＰデータを作成する。編集用データ作成手段５１２は、前記作成したＤＴＰデータから、編集用データを作成する。
【００３０】
したがって、データ転送中継サーバ装置１００は、顧客担当者と製版作業者間の原稿データ、校了編集用データの転送の中継を行い、校了編集用データは原稿データの形式に変えて顧客側に提供することができる。
【００３１】
編集クライアント接続手段１１１と、顧客クライアント接続手段１１２と、利用者認証手段１１３と、双方向データ変換手段１１４と、通知手段１１５と、編集用データ保管手段１１６と、原稿データ保管手段１１７と、原稿作成手段３１１と、編集レイアウト手段５１１と、編集用データ作成手段５１２とは、コンピュータプログラムである。記憶手段１３０は、不揮発性メモリーである。原稿データベース１０３と、編集用データベース１０１と、利用者認証データベース１０５とは、コンピュータプログラムが可読なデジタルデータの集合体である。
【００３２】
なお、原稿データ、および、編集用データは、ＸＭＬ形式で記述されている。編集クライアント装置５００で稼動する編集プログラムがＸＭＬ形式のデータを標準で扱うので、編集用データをＸＭＬ形式に整えることで、データのやり取りを容易に行うことが出来る。
【００３３】
図４は、ＸＭＬ形式の原稿データ３１０の例である。原稿データ３１０は、原稿識別情報（たとえば、原稿ＩＤ）を備えた顧客が管理する文字データを含んでいて、ページ単位で構成されている。ＸＭＬ形式の原稿データ３１０は、開始ＸＭＬタグ＜Ｒｏｏｔ＞と終了ＸＭＬタグ＜／Ｒｏｏｔ＞に挟まれた文字データとして識別される。原稿データ３１０の文字データを構成する項目データは、“原稿ＩＤ”、“商品番号”、“商品名”、“商品説明”、“商品画像”などである。各項目データの開始および終了ＸＭＬタグは、それぞれ、＜原稿ＩＤ＞と＜／原稿ＩＤ＞、＜商品番号＞と＜／商品番号＞、＜商品名＞と＜／商品名＞、＜商品説明＞と＜／商品説明＞、＜商品画像＞と＜／商品画像＞である。ここで、“原稿ＩＤ”は、面付けの単位で構成された原稿データ３１０を識別するユニークな文字記号列である。また、“商品画像”は、顧客クライアント装置３００の商品画像データが置かれているファイル位置情報（相対パス、または、絶対パス）を加えて記述されている。
【００３４】
たとえば、“原稿ＩＤ＝D5854”の原稿データ３１０が使用される顧客クライアント装置３００では、商品画像データの絶対パスが、“/aa/bb/ccc/”であるので、“商品名＝りんご”の“商品画像”は、“/aa/bb/ccc/apple009.eps”３１０ａと記述されて、“商品名＝さくらんぼ”の“商品画像”は、“商品画像＝/aa/bb/ccc/cherry084.eps” ３１０ｂと記述される。
【００３５】
図５は、ＸＭＬ形式の編集用データ５１０の例である。編集用データ５１０のＸＭＬタグは、図４の原稿データ３１０のＸＭＬタグと同じである。
“原稿ＩＤ＝D5854”の編集用データ５１０が使用される編集クライアント装置５００では、商品画像データの絶対パスが、“/hh/mmm” であるので、“商品名＝りんご”の“商品画像”は、“/hh/mmm/apple009.eps” ５１０ａと記述されて、商品名が“商品名＝さくらんぼ”の“商品画像”は、“/hh/mmm/cherry084.eps”５１０ｂと記述される。
【００３６】
図６は、ＤＴＰデータの構成構造を説明する図である。ＤＴＰデータは、画像データ・オブジェクトやテキストデータ・オブジェクトや図形データ・オブジェクトを含んで構成される製版編集用データである。テキストデータ・オブジェクトは、文字編集データである。画像データ・オブジェクトは、ビットマップデータである。図形データ・オブジェクトは、ベクトルデータである。テキストデータ・オブジェクトは、“テキストＩＤ”、“文字サイズ”、“色”、“フォント”、“原稿ＩＤ”、“ＸＭＬタグ情報”、“テキストの内容”、などが記述されている。画像データ・オブジェクトは、“画像ＩＤ”、“座標値”、“サイズ”、“原稿ＩＤ”、“ＸＭＬタグ情報”、“画像データ”などが記述されている。図形データ・オブジェクトは、“図形ＩＤ”、“形状”、“色”、“座標値”、“サイズ”、“原稿ＩＤ”、“ＸＭＬタグ情報”などが記述されている。
【００３７】
図７は、ＤＴＰデータの例である。テキストデータ・オブジェクトの一つは、テキストＩＤ＝テキスト０２”、“文字割付＝12pt”、 “色＝（Ｋ＝100%）”、“フォント＝明朝”、“原稿ＩＤ＝Ｄ５８５４”、“ＸＭＬタグ情報＝＜商品名＞ ＜／商品名＞”、“テキストの内容＝りんご”である。画像データ・オブジェクトの一つは、“画像ＩＤ＝画像０１”、“座標値＝（121,263）”、“サイズ＝（50,90）”、“原稿ＩＤ＝Ｄ５８５４”、“ＸＭＬタグ情報＝＜商品画像＞ ＜／商品画像＞”、“画像データ＝apple009.eps”である。図形データ・オブジェクトの一つは、“図形ＩＤ＝図形０１”、“形状＝矩形”、“色＝（Ｙ＝20%、Ｍ=35%）”、“座標値＝（121,230）（171,250）”（矩形の左下座標と右上座標）、“サイズ＝（30,20）”、“原稿ＩＤ＝Ｄ５８５４”、“ＸＭＬタグ情報＝null”である。
【００３８】
図８は、認証データベース１０５の例である。認証データベース１０５は、顧客や編集者が、双方向型製版編集システムにアクセスする時のユーザ認証を行ったり、原稿データと編集用データの変換を行うときの変換データ（たとえば、顧客クライアント装置３００の画像データのファイル位置情報や編集クライアント装置５００の画像データのファイル位置情報）を提供する。認証データベース１０５の管理項目は、“顧客ＩＤ”、“顧客パスワード”、“顧客クライアント装置の画像データのファイル位置情報”、“原稿ＩＤ”、“編集者ＩＤ”、“編集者パスワード”“編集クライアント装置の画像データのファイル位置情報”などである。“顧客ＩＤ”は、顧客を識別するユニークな文字記号列であり、“顧客パスワード” は、顧客のみが知る文字記号列であり、“顧客クライアント装置の画像データのファイル位置情報”は、編集用データを原稿データに変換するときの変換データであって、顧客クライアント装置の画像データの画像データのファイル位置情報（相対パス、または、絶対パス）であり、“原稿ＩＤ”は、原稿データを識別するユニークな文字記号列であり、“編集者ＩＤ”は、編集者を識別するユニークな記号文字列であり、“編集者パスワード” は、編集者のみが知る文字記号列であり、“編集クライアント装置の画像データのファイル位置情報”は、原稿データを編集用データに変換するときの変換データであって、編集クライアント装置の画像データのファイル位置情報（相対パス、または、絶対パス）である。
【００３９】
たとえば、“顧客ＩＤ＝AS”の顧客を認証する顧客パスワードは、“Vjsjbl”であり、この顧客が使用する顧客クライアント装置の画像データの絶対パスは、“/aa/dd/kkk”である。この“顧客ＩＤ＝AS”の顧客を担当する編集者は、“編集者ＩＤ＝D007” の編集者と“編集者ＩＤ＝D258” の編集者である。それぞれの編集者が担当する原稿データは、“原稿ＩＤ＝A0013” の原稿データと“原稿ＩＤ＝A1068”の原稿データである。それぞれの編集者が使用する編集クライアント装置の画像データの絶対パスは、“/hh/mmm”と “/vv/rrr”である。また、“編集者ＩＤ＝D007”の編集者は、別の顧客の“原稿ＩＤ＝D5854”の原稿データも担当していることを示している。
【００４０】
なお、“顧客ＩＤ”と“顧客パスワード”は、顧客に認証を与えるための登録情報である。同様に、“編集者ＩＤ” と“編集者パスワード” は、編集者に認証を与えるための登録情報である。
【００４１】
図９は、データ転送中継サーバ装置１００のフローチャートである。
（１）顧客クライアント装置３００から、原稿データの送信要求があるか判定する。原稿  データの送信要求を受信したら、次のステップに進む。原稿データの送信要求を受信し  ていなければ、ステップ（６）に進む。（ステップＳ１０１）
（２）利用者認証手段１１３は、顧客ＩＤと顧客パスワードを受け取って、組合せて、認  証データベース１０５を参照して、前記組合せと一致する顧客ＩＤと顧客パスワードの  組合せ（登録情報）が存在すれば、顧客認証する。前記組合せと一致する登録情報が存  在しなければ、ステップ（６）に進む。（ステップＳ１０２）
（３）顧客クライアント接続手段１１２は、原稿ＩＤを含む原稿データを受信する。原稿  データ保管手段１１７は、この受信した原稿データの原稿ＩＤをキーにして、原稿デー  タベース１０３を参照して、前記受信した原稿データの原稿ＩＤキーと一致する原稿Ｉ  Ｄの原稿データを、前記受信した原稿データに更新して、原稿データベースを更新する  。また、前記受信した原稿データの原稿ＩＤキーと一致する原稿ＩＤが存在しなければ  、原稿データを登録する。（ステップＳ１０３）
（４）双方向データ変換手段１１４は、前記受信した原稿データに含まれる原稿ＩＤをキ  ーにして、認証データベース１０５を参照して、前記原稿データの原稿ＩＤキーと一致  する原稿ＩＤに対応させた編集クライアント装置５００の画像データのファイル位置情  報を取得して、前記受信した原稿データの顧客クライアント装置３００の商品画像デー  タが置かれている位置情報を、前記取得した編集クライアント装置５００の画像データ  のファイル位置情報に変換して、編集用データを作成する。（ステップＳ１０４）
（５）編集用データ保管手段１１６は、前記作成した編集用データの原稿ＩＤをキーにし  て、編集用データベース１０１を参照して、前記作成した編集用データの原稿ＩＤキー  と一致する原稿ＩＤの編集用データを、前記作成した編集用データに更新して、原稿Ｉ  Ｄを含む編集用データベース登録通知を作成して保持する。また、前記作成した編集用  データの原稿ＩＤキーと一致する原稿ＩＤが存在しなければ、編集用データを登録して  、原稿ＩＤを含む編集用データベース登録通知を作成して保持する。編集用データベー  ス登録通知手段１１４は、保持されている編集用データベース登録通知を送信する。ス  テップ（１１）に戻る。（ステップＳ１０５）
（６）編集クライアント装置５００から、修正した編集用データの送信要求があるか判定  する。送信要求を受信したら、次のステップに進む。送信要求を受信していなければ、  ステップ（１１）に進む。（ステップＳ１１１）
（７）利用者認証手段１１３は、編集者ＩＤと編集パスワードを受け取って、組み合わせ  て、認証データベース１０５を参照して、前記組合せと一致する編集者ＩＤと編集パス  ワード編集者の組合（登録情報）せが存在すれば、編集者認証する。前記組合せと一致  する登録情報が存在しなければ、ステップ（１１）に進む。（ステップＳ１１２）
（８）編集クライアント接続手段１１１は、修正された編集用データを受信する。編集用  データ保管手段１１６は、前記受信した編集用データの原稿ＩＤをキーにして、編集用  データベース１０１を参照して、前記受信した編集用データの原稿ＩＤキーと一致する  原稿ＩＤの編集用データを、前記受信した編集用データに更新する。また、前記受信し  た編集用データの原稿ＩＤキーと一致する原稿ＩＤが存在しなければ、編集用データを  登録する。（ステップＳ１１３）
（９）双方向データ変換手段１１４は、前記更新した編集用データに含まれる原稿ＩＤを  キーにして、認証データベース１０５を参照して、前記編集用データの原稿ＩＤキーと  一致する原稿ＩＤに対応された顧客クライアント装置３００の画像データのファイル位  置情報を取得して、前記受信した編集用データの編集クライアント装置５００の画像デ  ータのファイル位置情報を、前記取得した顧客クライアント装置３００の画像データの  ファイル位置情報に変換して、原稿データを作成する。（ステップＳ１１４）
（１０）原稿データ保管手段１１７は、前記作成した原稿データの原稿ＩＤをキーにして  、原稿データベース１０３を参照して、前記原稿データの原稿ＩＤキーと一致する原稿  ＩＤの原稿データを、前記作成した原稿データに更新して、原稿データ修正通知を作成  して保持する。また、前記作成した原稿データの原稿ＩＤキーと一致する原稿ＩＤが存  在しなければ、原稿データを登録して、原稿ＩＤを含む原稿データ修正通知を作成して  保持する。原稿データベース登録通知手段１２４は、原稿データ修正通知を送信する。  （ステップＳ１１５）
（１１）編集クライアント装置５００から、編集用データの取得要求があるか判定する。  編集用データの取得要求を受信していれば、次のステップに進む。取得要求を受信して  いなければ、ステップ（１４）に進む。（ステップＳ１２１）
（１２）利用者認証手段１１３は、編集者ＩＤと編集パスワードを受け取って、組み合わ  せて、認証データベース１０５を参照して、前記組合せと一致する登録情報が存在すれ  ば、編集者認証する。前記組合せと一致する登録情報が存在しなければ、ステップ（１  ４）に進む。（ステップＳ１２２）
（１３）編集クライアント接続手段１１１は、編集用データの取得要求情報に含まれる原  稿ＩＤをキーにして、編集用データベースを参照して、前記キーに一致する原稿ＩＤの  編集用データを取得して送信する。（ステップＳ１２３）
（１４）顧客クライアント接続手段１１２は、顧客クライアント装置３００から、原稿デ  ータの取得要求があるか判定する。原稿データの取得要求を受信していれば、次のステ  ップに進む。取得要求を受信していなければ、終了する。（ステップＳ１３１）
（１５）利用者認証手段１１３は、顧客ＩＤと顧客パスワードを受け取って、組み合わせ  て、認証データベース１０５を参照して、前記組合せと一致する登録情報が存在すれば  、顧客認証する。前記組合せと一致する登録情報が存在しなければ、終了する。（ステ  ップＳ１３２）
（１６）顧客クライアント接続手段１１２は、原稿データの取得要求情報に含まれる原稿  ＩＤをキーにして、原稿データベースを参照して、前記キーに一致する原稿ＩＤの原稿  データを取得して送信する。終了する。（ステップＳ１３３）
【００４２】
なお、データ転送中継サーバ装置１００に登録する原稿データと編集用データとを、それぞれ、編集用データベース１０１と原稿データベース１０３に登録する代わりに、編集用データフォルダーと原稿データフォルダーに登録して、フォルダーの中身を全て、顧客クライアント装置３００や編集クライアント装置５００に取得させても、同様の効果が得られる。
【００４３】
このように、ステップＳ１１０〜Ｓ１１４の流れがあるために、編集者が校正紙の校正指示に従ってＤＴＰデータを修正したときにも、その修正結果を、原稿データと同じ書式のデータにして、顧客に提供することが出来る。
【００４４】
以上詳しく説明したように、本発明によれば、顧客の原稿データは、編集用データに変換されて、編集者に通知が届けられるので、ＤＴＰデータの作成作業効率が向上した。他方、校正紙による校正指示に従って編集者がＤＴＰデータを修正すれば、修正内容が原稿データに反映されるので、顧客による原稿データの保守作業の負荷が軽減された。また、顧客が管理する原稿データと編集者が作成管理するＤＴＰデータとは、編集用データを仲介して相互に独立してアクセス管理されているので、データ保護の安全性が高まった。
【図面の簡単な説明】
【００４５】
【図１】双方向型製版編集システムの全体構成図
【図２】双方向型製版編集システムの大まかな処理の流れ図
【図３】双方向型製版編集システムの詳細な構成図
【図４】ＸＭＬ形式の原稿データの例
【図５】ＸＭＬ形式の編集用データの例
【図６】認証データベースの例
【図７】ＤＴＰデータの構成構造説明図
【図８】ＤＴＰデータの例
【図９】データ転送中継サーバ装置のフローチャート
【符号の説明】
【００４６】
１  双方向型製版編集システム
１００  データ転送中継サーバ装置
１０１  編集用データベース
１０３  原稿データベース
１０５  利用者認証データベース
１１１  編集クライアント接続手段
１１２  顧客クライアント接続手段
１１３  利用者認証手段
１１４  双方向データ変換手段
１１５  通知手段
１１６  編集用データ保管手段
１１７  原稿データ保管手段
１３０  記憶手段
３００  顧客クライアント装置
３１１  原稿作成手段
３１０  ＸＭＬ形式の原稿データ
５００  編集クライアント装置
５１１  編集レイアウト手段
５１２  編集用データ作成手段
５１０  ＸＭＬ形式の編集用データ
【図１】
2006350589.tif 000003
【図２】
2006350589.tif 000004
【図３】
2006350589.tif 000005
【図４】
2006350589.tif 000006
【図５】
2006350589.tif 000007
【図６】
2006350589.tif 000008
【図７】
2006350589.tif 000009
【図８】
2006350589.tif 000010
【図９】
2006350589.tif 000011